(57)【要約】      （修正有）【課題】サンプル採取吸着器、熱脱着腔装置、サンプル採取機器及び分析機器を提供する。【解決手段】サンプル採取吸着器は、外方筒部第１端と外方筒部第２端とを有する外方筒部と、芯部第１端と芯部第２端とを有し、外方筒部内に配置される芯部と、を備え、外方筒部第１端と芯部第１端とが同じ側に位置しており、芯部は、サンプルを吸着するための吸着部１０２と、吸着部に接続された芯部本体部とを含み、外方筒部及び芯部の寸法は、外部のガスが前記吸着部から隙間に入ってから前記隙間の下流部分から排出することを許可するように、外方筒部と芯部との間に隙間があるように形成されている。【選択図】図４
2019120702.tif 000002
【特許請求の範囲】
【請求項１】
外方筒部第１端と外方筒部第２端とを有する外方筒部と、芯部第１端と芯部第２端とを有し、外方筒部内に配置される芯部と、を備え、外方筒部第１端と芯部第１端とが同じ側に位置しているサンプル採取吸着器であって、
芯部は、サンプルを吸着するための吸着部と、吸着部に接続された芯部本体部とを含み、
外方筒部及び芯部の寸法は、外部のガスが前記吸着部から隙間に入ってから前記隙間の下流部分から排出することを許可するように、外方筒部と芯部との間に隙間があるように形成されている、サンプル採取吸着器。
【請求項２】
前記外方筒部はバイパス通路を含み、前記バイパス通路は空間において互いに離れているバイパス通路入口及びバイパス通路出口を含み、バイパス通路入口はバイパス通路出口よりも外方筒部第１端に近く、
前記サンプル採取吸着器は、前記芯部と外方筒部との間に設けられるとともに、芯部外周面上に固定された吸着器第１内方封止リング及び吸着器第２内方封止リングをさらに含み、前記吸着器第１内方封止リング及び吸着器第２内方封止リングは互いに離れており、前記芯部が前記外方筒部内を移動することを許可しながら前記芯部と前記外方筒部との間の封止を保持し、かつサンプル採取吸着器が第１状態にあるとき、吸着器第１内方封止リング及び吸着器第２内方封止リングはバイパス通路入口とバイパス通路出口との間にあり、吸着器第１内方封止リングはバイパス通路入口に近く、吸着器第２内方封止リングはバイパス通路出口に近く、前記吸着部から前記隙間に入ったガスは吸着器第１内方封止リングに阻まれてバイパス通路入口に入り、バイパス通路出口から流出して前記隙間の下流に入る、請求項１に記載のサンプル採取吸着器。
【請求項３】
前記芯部が前記外方筒部に対して移動することにより、サンプル採取吸着器は第２状態にあるようになり、前記第２状態において、前記吸着器第１内方封止リングがバイパス通路入口とバイパス通路出口との間に位置し、吸着器第２内方封止リングがバイパス通路出口の前記外方筒部第１端から離れる側に位置することで、バイパス通路出口から流出するガスが吸着器第２内方封止リングに阻まれて前記隙間の下流部分に入れないようにする、請求項２に記載のサンプル採取吸着器。
【請求項４】
前記外方筒部は、吸着部から外方筒部外部までのガスの流出を許可するサンプル脱着通路を含み、
前記サンプル採取吸着器は、前記芯部と外方筒部との間に配置されるとともに、芯部外周面上に固定された吸着器第１内方封止リング及び吸着器第２内方封止リングをさらに含み、前記吸着器第１内方封止リング及び吸着器第２内方封止リングは互いに離れており、前記芯部が前記外方筒部内を移動することを許可しながら前記芯部と前記外方筒部との間の封止を保持し、かつサンプル採取吸着器が第１状態にあるとき、前記サンプル脱着通路の入口が吸着器第１内方封止リングと吸着器第２内方封止リングとの間に位置し、ガスは吸着器第１内方封止リング及び吸着器第２内方封止リングに阻まれてサンプル脱着通路に入れない、請求項１に記載のサンプル採取吸着器。
【請求項５】
前記芯部が前記外方筒部に対して移動することにより、サンプル採取吸着器は第２状態にあるようになり、前記第２状態において、前記吸着器第１内方封止リング及び吸着器第２内方封止リングはサンプル脱着通路の入口の前記外方筒部第１端から離れる側に位置することにより、ガスが前記隙間からサンプル脱着通路に入ってから前記サンプル脱着通路を介して外方筒部から排出されることしかできないようにする、請求項４に記載のサンプル採取吸着器。
【請求項６】
前記芯部本体部は、入口が前記隙間に連通して出口が前記外方筒部から露出する吸着器サンプル採取通路を含む、請求項１に記載のサンプル採取吸着器。
【請求項７】
芯部第１端の外周面に固定され、吸着器と外方筒部との相対的移動を許可しながら吸着器と外方筒部との間の封止を保持する吸着器第３封止リングをさらに含む、請求項１に記載のサンプル採取吸着器。
【請求項８】
被検体を擦ることでサンプルを被検体から脱離させるように配置され、外方筒部端部に取り外し可能に取り付けられたサンプル採取ヘッドをさらに含む、請求項１に記載のサンプル採取吸着器。
【請求項９】
サンプル採取ヘッドはシリコーンゴムからなることで検出すべきサンプルを粘着することができ、及び／又は、サンプル採取ヘッド内には吸着剤を設けることで検出すべきサンプルを吸着する、請求項８に記載のサンプル採取吸着器。
【請求項１０】
前記吸着部の両端にメッシュ構造を設けることで大粒子固体を濾過し、前記メッシュ構造は吸着部に取り外し可能に接続され、吸着剤を吸着部内に固定する、請求項１に記載のサンプル採取吸着器。
【請求項１１】
芯部本体部の芯部本体部第１端に対向する芯部本体部第２端の外部はサンプル採取吸着器Ｔ型ヘッドを含み、前記外方筒部は、外方筒部第２端内部に位置するシュートを含むことにより、サンプル採取吸着器Ｔ型ヘッドは前記シュート内を移動できるとともに、サンプル採取吸着器Ｔ型ヘッドの移動行程は前記シュートによって限定され、かつ、サンプル採取吸着器が第１状態にあるとき、サンプル採取吸着器Ｔ型ヘッドはシュートの第１端に接触し、サンプル採取吸着器が第２状態にあるとき、サンプル採取吸着器Ｔ型ヘッドはシュートの第２端に接触し、シュートの第２端はシュートの第１端よりも芯部本体部の第２端に近い、請求項３に記載のサンプル採取吸着器。
【請求項１２】
腔体第１端と腔体第１端に対向して開放する腔体第２端とを含むとともに熱脱着腔を限定する腔体を備え、前記腔体は断熱プレートを介して接続された熱腔と冷腔とを含む熱脱着腔装置であって、
請求項１に記載のサンプル採取吸着器は、前記熱脱着腔装置における腔体の開放する腔体第２端を介して前記熱脱着腔装置の冷腔内に挿入可能であり、
前記熱脱着腔装置は仕切り板をさらに含み、前記仕切り板と前記腔体との間には、仕切り板が熱脱着腔の前記熱腔内を移動することを許可しながら仕切り板と前記腔体との間の封止を保持するように配置される仕切り板封止リングが設けられ、
前記腔体はキャリアガス入口とキャリアガス出口とを含むことにより、熱脱着腔装置の第３状態において、前記仕切り板はキャリアガス出口の前記腔体第１端から離れる側に位置し、キャリアガスはキャリアガス入口から熱脱着腔へ入りキャリアガス出口から排出されることができる、熱脱着腔装置。
【請求項１３】
仕切り板はばねを介して前記腔体の前記腔体第１端に接続され、前記ばねは、外力の作用がない場合に仕切り板がキャリアガス出口の前記腔体第１端から離れる側に位置するように保持し、かつ外力の作用下で仕切り板が前記ばねを圧縮するとともに前記腔体第１端に向かって移動することにより、前記仕切り板封止リングがキャリアガス入口の腔体第１端に近い側に位置することを許可するように配置される、請求項１２に記載の熱脱着腔装置。
【請求項１４】
前記仕切り板に取り付けられ、前記仕切り板から腔体第２端に突出する加熱レバーをさらに含む、請求項１２に記載の熱脱着腔装置。
【請求項１５】
前記熱腔は、熱腔内温度を向上させるための加熱器と熱腔内温度を測定するための温度センサとからなる温度制御装置と、熱腔内から熱脱着腔装置外部への放熱を遮断するように配置される保温部と、を含む、請求項１２に記載の熱脱着腔装置。
【請求項１６】
請求項１に記載のサンプル採取吸着器と請求項１２に記載の熱脱着腔装置とを備えるサンプル採取機器であって、
前記サンプル採取吸着器は、前記熱脱着腔装置における腔体の開放する腔体第２端を介して前記熱脱着腔装置の冷腔内に挿入することで、サンプル採取吸着器における外方筒部の外方筒部第１端が、外方筒部第１端の外周面上の外方筒部第１封止リングを介して前記断熱プレートに当接するようにすることができる、サンプル採取機器。
【請求項１７】
前記サンプル採取吸着器が前記熱脱着腔装置の冷腔内に挿入されるとき、熱脱着腔装置の加熱レバーは前記サンプル採取吸着器の吸着部に接触するとともに力を付加することで、サンプル採取吸着器Ｔ型ヘッドがシュートの第２端に阻まれてサンプル採取吸着器が第２状態になるまで、吸着部が前記外方筒部内を移動するようにする、請求項１６に記載のサンプル採取機器。
【請求項１８】
前記サンプル採取吸着器は前記熱脱着腔装置の熱腔に挿入することで、前記サンプル採取吸着器の吸着部が加熱レバーに力を付加して仕切り板と共に加熱レバーを熱脱着腔装置の腔体の腔体第１端へ移動させ、前記熱脱着腔装置が第３状態になるようにすることができ、外方筒部第１端の外周面上の外方筒部第１封止リングは、キャリアガス入口とキャリアガス出口との間にあるまで、前記熱腔内において前記熱腔の内壁に沿って摺動する、請求項１７に記載のサンプル採取機器。
【請求項１９】
外方筒部の外周はストッパ部をさらに含み、前記ストッパ部は、前記熱脱着腔装置が第３状態にあるとき、熱脱着腔装置の断熱プレートに当接することで、サンプル採取吸着器が熱脱着腔装置第１端へ引き続き移動することを阻止できるように配置される、請求項１８に記載のサンプル採取機器。
【請求項２０】
前記サンプル採取吸着器は摺動可能カラーを含み、前記摺動可能カラーは外方筒部の外周に被せて、前記熱脱着腔装置の前記腔体の第２端付近のバヨネット内まで配合可能であるとともに、外方筒部が熱脱着腔装置内を移動することを許可する、請求項１６に記載のサンプル採取機器。
【発明の詳細な説明】
【技術分野】
【０００１】
本開示は、分析検出技術分野に関し、特にサンプル採取吸着器、熱脱着腔装置、サンプル採取機器及び分析機器に関する。
【背景技術】
【０００２】
従来技術において、１つの場所でガスまたは固体粒子物質に対してサンプル採取検査を行うことは求められている。しかしながら、サンプルを採取する方法及び機器については、効率をさらに向上させる必要がある。例えば、空港、税関などの場所において、貨物または小包における禁制品の有無を迅速的で確実に検査する必要がある。
【０００３】
また、従来技術による検査機器は、検出を実行するために、よく小包を開けたり、さらに一部の貨物を破壊したりする必要があり、実際の操作において非常に不便である。小包を開けずに、貨物を破壊しない状況で検査を行うことが望ましい。
【発明の概要】
【発明が解決しようとする課題】
【０００４】
したがって、迅速的で的確的な現場検出の実施を助けるように、迅速的で信頼性のあるサンプル採取機器は期待されている。
【課題を解決するための手段】
【０００５】
本開示の一態様によると、本開示は、外方筒部第１端と外方筒部第２端とを有する外方筒部と、芯部第１端と芯部第２端とを有し、外方筒部内に配置される芯部と、を備え、外方筒部第１端と芯部第１端とが同じ側に位置しているサンプル採取吸着器であって、芯部は、サンプルを吸着するための吸着部と、吸着部に接続された芯部本体部とを含み、外方筒部及び芯部の寸法は、外部のガスが前記吸着部から隙間に入ってから前記隙間の下流部分から排出されることを許可するように、外方筒部と芯部との間に隙間があるように形成されている、サンプル採取吸着器を提供している。
【０００６】
１実施例において、前記外方筒部はバイパス通路を含み、前記バイパス通路は空間において互いに離れているバイパス通路入口及びバイパス通路出口を含み、バイパス通路入口はバイパス通路出口よりも外方筒部第１端に近く、前記サンプル採取吸着器は、前記芯部と外方筒部との間に設けられるとともに、芯部外周面上に固定された吸着器第１内方封止リング及び吸着器第２内方封止リングをさらに含み、前記吸着器第１内方封止リング及び吸着器第２内方封止リングは互いに離れており、前記芯部が前記外方筒部内を移動することを許可しながら前記芯部と前記外方筒部との間の封止を保持し、かつサンプル採取吸着器が第１状態にあるとき、吸着器第１内方封止リング及び吸着器第２内方封止リングはバイパス通路入口とバイパス通路出口との間にあり、吸着器第１内方封止リングはバイパス通路入口に近く、吸着器第２内方封止リングはバイパス通路出口に近く、前記吸着部から前記隙間に入ったガスは吸着器第１内方封止リングに阻まれてバイパス通路入口に入り、バイパス通路出口から流出して前記隙間の下流に入る。
【０００７】
１実施例において、前記芯部が前記外方筒部に対して移動することにより、サンプル採取吸着器は第２状態にあるようになり、前記第２状態において、前記吸着器第１内方封止リングがバイパス通路入口とバイパス通路出口との間に位置し、吸着器第２内方封止リングがバイパス通路出口の前記外方筒部第１端から離れる側に位置することで、バイパス通路出口から流出するガスが吸着器第２内方封止リングに阻まれて前記隙間の下流部分に入れないようにする。
【０００８】
１実施例において、前記外方筒部は、吸着部から外方筒部までのガスの流出を許可するサンプル脱着通路を含み、前記サンプル採取吸着器は、前記芯部と外方筒部との間に配置されるとともに、芯部外周面上に固定された吸着器第１内方封止リング及び吸着器第２内方封止リングをさらに含み、前記吸着器第１内方封止リング及び吸着器第２内方封止リングは互いに離れており、前記芯部が前記外方筒部内を移動することを許可しながら前記芯部と前記外方筒部との間の封止を保持し、かつサンプル採取吸着器が第１状態にあるとき、前記サンプル脱着通路の入口が吸着器第１内方封止リングと吸着器第２内方封止リングとの間に位置し、ガスは吸着器第１内方封止リング及び吸着器第２内方封止リングに阻まれてサンプル脱着通路に入れない。
【０００９】
１実施例において、前記芯部が前記外方筒部に対して移動することにより、サンプル採取吸着器は第２状態にあるようになり、前記第２状態において、前記吸着器第１内方封止リング及び吸着器第２内方封止リングはサンプル脱着通路の入口の前記外方筒部第１端から離れる側に位置することにより、ガスが前記隙間からサンプル脱着通路に入ってから前記サンプル脱着通路を介して外方筒部から排出されることしかできないようにする。
【００１０】
１実施例において、前記芯部本体部は、入口が前記隙間に連通して出口が前記外方筒部から露出する吸着器サンプル採取通路を含む。
【００１１】
１実施例において、サンプル採取吸着器は、芯部第１端の外周面に固定され、吸着器と外方筒部との相対的移動を許可しながら吸着器と外方筒部との間の封止を保持する吸着器第３封止リングをさらに含む。
【００１２】
１実施例において、サンプル採取吸着器は、被検体を擦ることでサンプルを被検体から脱離させるように配置され、外方筒部端部に取り外し可能に取り付けられたサンプル採取ヘッドをさらに含む。
【００１３】
１実施例において、サンプル採取ヘッドはシリコーンゴムからなることで検出すべきサンプルを粘着することができ、及び／又は、サンプル採取ヘッド内には吸着剤を設けることで検出すべきサンプルを吸着する。
【００１４】
１実施例において、前記吸着部の両端にメッシュ構造を設けることで大粒子固体を濾過し、前記メッシュ構造は吸着部に取り外し可能に接続され、吸着剤を吸着部内に固定する。
【００１５】
１実施例において、芯部本体部の芯部本体部第１端に対向する芯部本体部第２端の外部はサンプル採取吸着器Ｔ型ヘッドを含み、前記外方筒部は、外方筒部第２端内部に位置するシュートを含むことにより、サンプル採取吸着器Ｔ型ヘッドは前記シュート内を移動できるとともに、サンプル採取吸着器Ｔ型ヘッドの移動行程は前記シュートによって限定され、かつ、サンプル採取吸着器が第１状態にあるとき、サンプル採取吸着器Ｔ型ヘッドはシュートの第１端に接触し、サンプル採取吸着器が第２状態にあるとき、サンプル採取吸着器Ｔ型ヘッドはシュートの第２端に接触し、シュートの第２端はシュートの第１端よりも芯部本体部の第２端に近い。
【００１６】
本開示の別態様は、腔体第１端と腔体第１端に対向して開放する腔体第２端とを含むとともに熱脱着腔を限定する腔体を備え、前記腔体は断熱プレートを介して接続された熱腔と冷腔とを含む熱脱着腔装置であって、上記サンプル採取吸着器は、前記熱脱着腔装置における腔体の開放する腔体第２端を介して前記熱脱着腔装置の冷腔内に挿入可能であり、前記熱脱着腔装置は仕切り板をさらに含み、前記仕切り板と前記腔体との間には、仕切り板が熱脱着腔の前記熱腔内を移動することを許可しながら仕切り板と前記腔体との間の封止を保持するように配置される仕切り板封止リングが設けられ、前記腔体はキャリアガス入口とキャリアガス出口とを含むことにより、熱脱着腔装置の第３状態において、前記仕切り板はキャリアガス出口の前記腔体第１端から離れる側に位置し、キャリアガスはキャリアガス入口から熱脱着腔へ入りキャリアガス出口から排出されることができる熱脱着腔装置を提供している。
【００１７】
１実施例において、仕切り板はばねを介して前記腔体の前記腔体第１端に接続され、前記ばねは、外力の作用がない場合に仕切り板がキャリアガス出口の前記腔体第１端から離れる側に位置するように保持し、かつ外力の作用下で仕切り板が前記ばねを圧縮するとともに前記腔体第１端に向かって移動することにより、前記仕切り板封止リングがキャリアガス入口の腔体第１端に近い側に位置することを許可するように配置される。
【００１８】
１実施例において、熱脱着腔装置は、前記仕切り板に取り付けられ、前記仕切り板から腔体第２端に突出する加熱レバーをさらに含む。
【００１９】
１実施例において、前記熱腔は、熱腔内温度を向上させるための加熱器と熱腔内温度を測定するための温度センサとからなる温度制御装置と、熱腔内から熱脱着腔装置外部への放熱を遮断するように配置される保温部と、を含む。
【００２０】
本開示の更なる態様は、上記サンプル採取吸着器と上記熱脱着腔装置とを備えるサンプル採取機器であって、前記サンプル採取吸着器は、前記熱脱着腔装置における腔体の開放する腔体第２端を介して前記熱脱着腔装置の冷腔内に挿入することで、サンプル採取吸着器における外方筒部の外方筒部第１端が、外方筒部第１端の外周面上の外方筒部第１封止リングを介して前記断熱プレートに当接するようにすることができるサンプル採取機器を提供している。
【００２１】
１実施例において、前記サンプル採取吸着器が前記熱脱着腔装置の冷腔内に挿入されるとき、熱脱着腔装置の加熱レバーは前記サンプル採取吸着器の吸着部に接触するとともに力を付加することで、サンプル採取吸着器Ｔ型ヘッドがシュートの第２端に阻まれてサンプル採取吸着器が第２状態になるまで、吸着部が前記外方筒部内を移動するようにする。
【００２２】
１実施例において、前記サンプル採取吸着器は前記熱脱着腔装置の熱腔に挿入することで、前記サンプル採取吸着器の吸着部が加熱レバーに力を付加して仕切り板と共に加熱レバーを熱脱着腔装置の腔体の腔体第１端へ移動させ、前記熱脱着腔装置が第３状態になるようにすることができ、外方筒部第１端の外周面上の外方筒部第１封止リングは、キャリアガス入口とキャリアガス出口との間にあるまで、前記熱腔内において前記熱腔の内壁に沿って摺動する。
【００２３】
１実施例において、外方筒部の外周はストッパ部をさらに含み、前記ストッパ部は、前記熱脱着腔装置が第３状態にあるとき、前記熱脱着腔装置の断熱プレートに当接することで、サンプル採取吸着器が熱脱着腔装置第１端へ引き続き移動することを阻止できるように配置される。
【００２４】
１実施例において、前記サンプル採取吸着器は摺動可能カラーを含み、前記摺動可能カラーは外方筒部の外周に被せて、前記熱脱着腔装置の前記腔体の第２端付近のバヨネット内まで配合可能であるとともに、外方筒部が熱脱着腔装置内を移動することを許可する。
【００２５】
本開示の一態様は、上記のサンプル採取機器を含む分析機器を提供している。
【図面の簡単な説明】
【００２６】
【図１】本開示の１実施例によるサンプル採取吸着器の断面模示図を示す。
【図２】本開示の１実施例によるサンプル採取吸着器の断面模示図を示す。
【図３】本開示の１実施例による熱脱着腔装置の断面模示図を示す。
【図４】本開示の１実施例によるサンプル脱着状態にないサンプル採取吸着器を熱脱着腔装置に置く場合の断面模示図を示す。
【図５】本開示の１実施例によるサンプル脱着状態にあるサンプル採取吸着器を熱脱着腔装置に置く場合の断面模示図を示す。
【発明を実施するための形態】
【００２７】
本開示に対して様々な変更や置き換えを行うことができるが、その具体的な実施例を例示の形で図面に示し、かつ明細書で詳細に説明する。しかしながら、理解できるように、添付された図面及び詳細な説明は本発明を開示の具体的な形態に限定するためのものではなく、逆に、添付された請求の範囲で限定された本発明の精神及び範囲に入るあらゆる変更、同等形式、置き換え方式は保護の範囲に含まれるものである。図面は模式的なものであるため、実際寸法に比例して描画されたものではない。
【００２８】
本明細書において、「第１」、「第２」などの表現用語の使用は、順序付けや重要性または主従関係の表示のためではなく、異なる部品を区別するためである。本明細書における「左側」および「右側」は図面に対して説明する時の方位であり、限定意味を有しない。
【００２９】
以下、図面に基づき、本開示の複数の実施例を説明する。
図１を参照し、本開示の実施例は、外方筒部第１端と外方筒部第２端とを有する外方筒部と、芯部第１端と芯部第２端とを有し、外方筒部内に配置される芯部と、を備え、外方筒部第１端と芯部第１端とが同じ側に位置しているサンプル採取吸着器であって、芯部は、サンプルを吸着するための吸着部と、吸着部に接続された芯部本体部とを含み、外方筒部及び芯部の寸法は、外部のガスが前記吸着部から隙間に入ってから前記隙間の下流部分から排出することを許可するように、外方筒部と芯部との間に隙間があるように形成されている、サンプル採取吸着器を提供する。
【００３０】
図１に示すように、概して、サンプル採取吸着器は、外方筒部１００１と外方筒部１００１内に位置する芯部１００２とを有する。芯部１００２は、吸着部１０２と芯部本体部とを含み、図１において、芯部本体部は、芯部１００２の吸着部１０２が除去される残り部分と見なされることができる。なお、図１は、１つの実施形態を示し、吸着部の寸法と芯部本体部の寸法がほぼ同じであるが、本開示の他の実施例において、吸着部の寸法と芯部本体部の寸法とは、異なっていてもよい。例えば、１実施例において、吸着部の寸法は、芯部本体部の寸法よりやや小さくてもよい。１実施例において、吸着部の寸法は、芯部本体部の寸法よりやや大きくてもよい。１実施例において、吸着部および芯部本体部は円柱体の形状であってもよい。１実施例において、吸着部および芯部本体部は、楕円形断面を有する円柱体形状であってもよい。１実施例において、吸着部および芯部本体部は、楕円形に近い断面を有する円柱体形状であってもよい。
【００３１】
図１において、外方筒部の外方筒部第１端および芯部１００２の芯部第１端は図１の左側にあり、外方筒部１００１の外方筒部第２端および芯部１００２の芯部第２端は図１の右側にある。外方筒部１００１と芯部１００２との間には隙間がある。外部ガスは図１の左側から図１の右側へ流れ、吸着部１０２を介してサンプル採取吸着器に入ってから前記隙間に入る。図１における隙間は外方筒部１００１と芯部１００２との間にあり、図１における芯部１００２の上側隙間および芯部１００２の下側隙間を含む。実際の装置において、隙間は芯部１００２の回りを囲むもののはずである。隙間の下流は、図１の右側であると理解すべきである。
【００３２】
１実施例において、前記外方筒部１００１はバイパス通路１０４を含み、前記バイパス通路１０４は空間において互いに離れているバイパス通路入口１０４１及びバイパス通路出口１０４２を含み、バイパス通路入口１０４１はバイパス通路出口１０４２よりも外方筒部１００１第１端に近い。前記サンプル採取吸着器は、前記芯部１００２と外方筒部１００１との間に設けられるとともに、芯部１００２外周面上に固定された吸着器第１内方封止リング１０３１及び吸着器第２内方封止リング１０３２をさらに含み、前記吸着器第１内方封止リング１０３１及び吸着器第２内方封止リング１０３２は互いに離れており、前記芯部１００２が前記外方筒部１００１内を移動することを許可しながら前記芯部１００２と前記外方筒部１００１との間の封止を保持し、かつサンプル採取吸着器が第１状態にあるとき、吸着器第１内方封止リング１０３１及び吸着器第２内方封止リング１０３２は、バイパス通路入口１０４１とバイパス通路出口１０４２との間にあり、吸着器第１内方封止リング１０３１はバイパス通路入口１０４１に近く、吸着器第２内方封止リング１０３２はバイパス通路出口１０４２に近く、前記吸着部１０２から前記隙間に入ったガスは吸着器第１内方封止リング１０３１に阻まれてバイパス通路入口１０４１に入り、バイパス通路出口１０４２から流出して前記隙間の下流に入る。
【００３３】
サンプル採取吸着器の第１状態はサンプル採取吸着状態と理解でき、即ち、採取するサンプルを含むガスが吸着部１０２を通過するとき、サンプルは吸着部１０２に吸着され、ガスは吸着部１０２を介して前記隙間に入ってから排出される。
【００３４】
サンプル採取吸着の効率を向上させるために、隙間内に吸引作用を形成して吸着部１０２へのガスの進入を加速するように、隙間の下流にポンプ２０１を設けることができる。
【００３５】
１実施例において、前記芯部本体部は、入口が前記隙間に連通して出口が前記外方筒部１００１から露出する吸着器サンプル採取通路１０８を含む。吸着器サンプル採取通路１０８を設けることは、サンプル採取吸着器を通過するガスを収集するのに有利である。例えば、ポンプ２０１を用いる場合、ガスを吸引しやすいように、ポンプ２０１と吸着器サンプル採取通路１０８の出口とを接続することができる。しかしながら、吸着器サンプル採取通路１０８は必須のものではない。
【００３６】
吸着器サンプル採取通路１０８を設ける実施例において、ガスを阻止するように、吸着器サンプル採取通路１０８の入口の下流に封止リング１０３４がさらに設けられる。
【００３７】
１実施例において、前記芯部１００２が前記外方筒部１００１に対して移動することにより、サンプル採取吸着器は第２状態にあるようになり、前記第２状態において、前記吸着器第１内方封止リング１０３１がバイパス通路入口１０４１とバイパス通路出口１０４２との間に位置し、吸着器第２内方封止リング１０３２がバイパス通路出口１０４２の前記外方筒部１００１第１端から離れる側に位置することで、バイパス通路出口１０４２から流出するガスが吸着器第２内方封止リング１０３２に阻まれて前記隙間の下流部分に入れないようにする。図４におけるサンプル採取吸着器を参照すれば分かる通り、吸着器第１内方封止リング１０３１はバイパス通路入口１０４１とバイパス通路出口１０４２との間に位置し、吸着器第２内方封止リング１０３２はバイパス通路出口１０４２の右側に位置し、このようにしてバイパス通路出口１０４２から流出するガスは吸着器第２内方封止リング１０３２に阻まれてしまうため、バイパス通路１０４は実際に封止される。この際、隙間内に入ったガスは隙間の下流部分、即ち隙間の右側部分を引き続き通過して排出されることができなくなる。
【００３８】
１実施例において、前記外方筒部１００１は、吸着部１０２から外方筒部１００１外部までのガスの流出を許可するサンプル脱着通路１１０を含む。図１に示すように、外方筒部１００１の下側、または、外方筒部１００１のバイパス通路１０４と異なる位置にサンプル脱着通路１１０を設ける。吸着器がサンプル採取吸着を行うとき、サンプル脱着通路１１０は封止され、即ち、前記サンプル脱着通路１１０の入口は吸着器第１内方封止リング１０３１と吸着器第２内方封止リング１０３２との間にあり、吸着部１０２を経過するガスは吸着器第１内方封止リング１０３１と吸着器第２内方封止リング１０３２とに阻まれてサンプル脱着通路１１０に入れないようになる。図１において、サンプル脱着通路１１０の入口は、吸着器第１内方封止リング１０３１の右側に位置するため、左側の隙間内のガスは吸着器第１内方封止リング１０３１に阻まれる。
【００３９】
１実施例において、前記芯部１００２が前記外方筒部１００１に対して移動することにより、サンプル採取吸着器は第２状態にあるようになり、図４または図５に示すサンプル採取吸着器のように、この際、前記吸着器第１内方封止リング１０３１及び吸着器第２内方封止リング１０３２はサンプル脱着通路１１０の入口の前記外方筒部１００１第１端から離れる側に位置することにより、ガスが前記隙間からサンプル脱着通路１１０に入ってから前記サンプル脱着通路１１０を介して外方筒部１００１から排出されることしかできないようにする。
【００４０】
吸着器の第２状態は脱着状態とも呼ばれ、即ち、吸着部１０２により吸着されたサンプルは吸着部１０２から脱離し、サンプル脱着通路１１０を介してサンプル採取吸着器から排出される。吸着器の第２状態において、吸着器第２内方封止リンク１０３２はバイパス通路出口１０４２の右側に位置し、このようにしてバイパス通路出口１０４２から流出するガスは吸着器第２内方封止リング１０３２に阻まれるようになる。同時に、前記吸着器第１内方封止リング１０３１および吸着器第２内方封止リング１０３２は、サンプル脱着通路１１０の入口の右側に位置し、ガスがサンプル脱着通路１１０の入口を介してサンプル脱着通路１１０に入り、サンプル採取吸着器から排出されることは許可される。簡単に言えば、この際のサンプルは、隙間を介して図４または図５の右側に流すことができず、分析しやすいように、サンプル脱着通路１１０を介して排出され、分析機器により収集されることしかできない。
【００４１】
上記の配置により、本開示のサンプル採取吸着器は、芯部１００２を簡単に移動することでサンプル採取吸着状態と脱着状態との切り替えを実現でき、簡単で信頼性よく操作できる。
【００４２】
上記の実施例において、バイパス通路入口１０４１とバイパス通路出口１０４２の外方筒部１００１（外方筒部１００１に沿う長さ方向）における位置およびサンプル脱着通路１１０の入口（外方筒部１００１に沿う長さ方向）の位置は、図１に示す位置の通り厳しく設ける必要はなく、バイパス通路入口１０４１とバイパス通路出口１０４２との間の距離は、図１に示す距離の通り設ける必要もなく、サンプル採取吸着器の第１状態および第２状態を実現できればよい。
【００４３】
例えば、図１に示すように、第１状態において、吸着部１０２と芯部本体部との間の界面は、バイパス通路入口１０４１と揃えているが、これは必須のことではない。図１に示す実施例は、本開示によるサンプル採取吸着器の選択可能な構造に過ぎない。
【００４４】
１実施例において、芯部本体部は芯部本体部第２端である図１の右側における芯部本体部の端部を含む。芯部本体部第２端の外部はサンプル採取吸着器Ｔ型ヘッド１０７を含む。相応的に、前記外方筒部１００１は外方筒部第２端内部にあるシュート１０９を含み、サンプル採取吸着器Ｔ型ヘッド１０７は、前記シュート１０９内を移動できるとともに、サンプル採取吸着器Ｔ型ヘッド１０７の移動行程は前記シュート１０９によって限定される。つまり、サンプル採取吸着器Ｔ型ヘッド１０７は左へ、多くともシュート１０９の左側端に運動することしかできず、右へ、多くともシュート１０９の右側端に運動することしかできず、つまり、サンプル採取吸着器Ｔ型ヘッド１０７は、シュート１０９の左側端と右側端との間で移動することしかできない。相応的に、サンプル採取吸着器Ｔ型ヘッド１０７がシュート１０９の左側端に当接するとき、サンプル採取吸着器は第１状態にあり、サンプル採取吸着器Ｔ型ヘッド１０７がシュート１０９の右側端に当接するとき、サンプル採取吸着器は第２状態にある。
【００４５】
上記サンプル採取吸着器Ｔ型ヘッド１０７とシュート１０９との合せ設計により、操作を容易にすることができる。例えば、芯部１００２を左へ押すことでサンプル採取吸着器Ｔ型ヘッド１０７をシュート１０９の左側端に当接させる場合、サンプル採取吸着器を第１状態にあるようにするが、芯部１００２を右へ引っ張ることでサンプル採取吸着器Ｔ型ヘッド１０７をシュート１０９の右側端に当接させる場合、サンプル採取吸着器を第２状態にあるようにする。これにより、サンプル採取吸着器の操作の便利さおよび信頼性を向上させた。
【００４６】
１実施例において、サンプル採取吸着器は、被検体を擦ることでサンプルを被検体から脱離させるように配置され、外方筒部１００１端部に取り外し可能に取り付けられたサンプル採取ヘッド１０１をさらに含んでもよい。サンプル採取ヘッド１０１は、外方筒部１００１の左端にねじ接続されてもよい。サンプル採取ヘッド１０１は、シリコーンゴム材料により形成され、粘着テープにより外方筒部１００１の左端に粘着可能であってもよい。
【００４７】
図２に示すように、サンプル採取吸着器は被検体の表面に近づき、サンプル採取ヘッド１０１により物体表面を接触したり擦ったりすることができ、このようにして脱落しやすいサンプルが物体から擦られてから吸着部１０２に入って吸着される。サンプル採取ヘッド１０１はシリコーンゴムからなってもよく、シリコーンゴムサンプル採取ヘッド１０１はサンプルを粘着することができる。別の実施例において、サンプル採取ヘッド１０１内に吸着剤を設置してもよいので、サンプル採取ヘッド１０１もサンプルを吸着することができる。
【００４８】
サンプル採取ヘッド１０１を使用する設計は有利であり、サンプル採取の過程中において、サンプル採取吸着器の前端にあるシリコーンゴムサンプル採取ヘッド１０１を用いて検査すべき人や物体上を擦りながら、ポンプ２０１を起動させてガスの吸引を行うことで、サンプルを吸着し、採取時間を延長させてサンプルを濃縮することができる。
【００４９】
１実施例において、前記吸着部１０２の両端にメッシュ構造を設けることで大粒子固体を濾過し、前記メッシュ構造は吸着部１０２に取り外し可能に接続され、吸着剤を吸着部１０２内に固定するようにしてもよい。例えば、メッシュ構造と吸着部１０２とがねじ合わせを用いる設計では、メッシュ構造の取り外しを許可して吸着部１０２内の吸着剤の交換を容易にするだけでなく、サンプル採取の際に、メッシュ穴はガスの通過を許可するとともに、大粒子の粉塵を吸着部１０２の外部に阻止して汚染を防止することができる。
【００５０】
１実施例において、サンプル採取吸着器は、芯部第１端の外周面に固定され、吸着部１０２と外方筒部１００１との相対的移動を許可しながら吸着部１０２と外方筒部１００１との間の封止を保持する吸着器第３封止リング１０３３をさらに含む。吸着器第３封止リング１０３３の設置は有利であり、ガスは吸着器第３封止リング１０３３に阻まれて、吸着部１０２を介してサンプル採取吸着器に進入することしかできず、外方筒部１００１と芯部１００２との間の隙間を介してサンプル採取吸着器に進入することができない。
【００５１】
実際の使用過程中において、ポンプ２０１の使用は有利である。例えば、図２に示すように、ポンプ２０１は、コルゲートチューブのようなものを介して芯部本体部サンプル採取通路１０８の出口に接続され、この際のサンプル採取吸着器は第１状態（サンプル採取吸着状態）にあり、バイパス通路１０４は導通状態にあり、ポンプ２０１による吸引作用は隙間内で負圧が形成され、サンプル採取吸着器の左側のガスはサンプル採取吸着器に取り込まれてまず吸着部１０２に入るため、ガス中のサンプルは吸着部１０２に吸着され、吸着部１０２を経過したガスはバイパス通路１０４を介して隙間の下流に入り、そして芯部本体部サンプル採取通路１０８に入り、ポンプ２０１に吸引される。
【００５２】
本開示の実施例はさらに、腔体第１端と腔体第１端に対向して開放する腔体第２端とを含むとともに熱脱着腔を限定する腔体を備える熱脱着腔装置であって、前記熱脱着腔装置は仕切り板３０４をさらに含み、前記仕切り板３０４と前記腔体との間には、仕切り板３０４が熱脱着腔内を移動することを許可しながら仕切り板３０４と前記腔体との間の封止を保持するように配置される仕切り板封止リング３０４１が設けられ、前記腔体はキャリアガス入口３０１とキャリアガス出口３０２とを含むことにより、熱脱着腔装置の第３状態において、前記仕切り板３０４はキャリアガス出口３０２の前記腔体第１端から離れる側に位置し、キャリアガスはキャリアガス入口３０１から熱脱着腔へ入りキャリアガス出口３０２から排出されることができる、熱脱着腔装置を提供している。
【００５３】
図３に示すように、熱脱着腔装置は腔体からなり、腔体が内部の空間である熱脱着腔を限定する。ここで、腔体第１端は腔体左側の端部であり、腔体第２端は腔体の右側の端部である。図示のように、腔体の右側の端部は開放的なものであり、腔体の右側の端部を介して熱脱着腔内に進入することができる。
【００５４】
熱脱着腔装置は、熱脱着腔内にある仕切り板３０４をさらに含む。仕切り板３０４は、腔体の長さ延伸方向に摺動可能であり、即ち仕切り板３０４は図３において左右に移動することができる。仕切り板３０４と腔体の内壁との間に仕切り板封止リング３０４１を設けることで、仕切り板３０４の左側のガスは仕切り板３０４の右側に進入できなくなる。
【００５５】
１実施例において、仕切り板３０４はばねを介して前記腔体の前記腔体第１端に接続され、前記ばねは、外力の作用がない場合に仕切り板３０４がキャリアガス出口３０２の前記腔体第１端から離れる側に位置するように保持し、かつ外力の作用下で仕切り板３０４が前記ばねを圧縮するとともに前記腔体第１端に向かって移動することにより、前記仕切り板封止リング３０４１がキャリアガス入口３０１の腔体第１端に近い側に位置することを許可するように配置される。図３において、仕切り板３０４の右側はばねに支持され、このようにして仕切り板３０４は安定的に保持され、かつ外力の作用がない場合、仕切り板３０４は左へ移動することはない。仕切り板３０４が圧縮された後、外力を解消すると仕切り板３０４は初期位置に跳ね返られ、操作をより便利にする。言い換えれば、使用する際に外部機器を挿入し、操作が完了したら外部機器を抜けばよく、仕切り板３０４または他の部品を手動で操作する必要がなく、操作過程を簡単にする。
【００５６】
１実施例において、熱脱着腔装置には、仕切り板３０４に接続され、具体的には仕切り板３０４の左側に接続されたガイドロッドがさらに設けられる。ガイドロッドは伸縮可能なロッドであってもよく、即ちガイドロッドは自己伸縮することで仕切り板３０４の左への移動を許可し、仕切り板３０４が右へ移動するとき、ガイドロッドは伸長して仕切り板３０４の運動を安定させることができる。図３に示す実施例において、ガイドロッドは伸縮不可であり、ガイドロッドは熱脱着腔装置の腔体左側端部を貫通するとともに、腔体左側端部の穴を往復移動することができることで、仕切り板３０４の左右移動を容易にする。腔体内外のガス流通を阻止するように、ガイドロッドと腔体左側端部の穴壁との間には、ガイドロッド封止リングが設けられる。しかしながら、ガイドロッドは必須のものではなく、仕切り板３０４はガイドロッドを必要とせずに腔体内を左右移動することもできる。
【００５７】
１実施例において、熱脱着腔装置は、前記仕切り板３０４に取り付けられるとともに、前記仕切り板３０４から腔体第２端に向かって突出する加熱レバー３０８をさらに含み、図３に示すように、加熱レバー３０８は仕切り板３０４の右側に設けられている。
【００５８】
図３に示される熱脱着腔装置の腔体は、断熱プレート３０５を介して接続された熱腔３０３と冷腔３０６とを含んでもよい。断熱プレート３０５は、冷腔３０６と熱腔３０３との間の熱交換を隔離することができる。前記仕切り板３０４は前記熱腔３０３内を移動する。あるいは、仕切り板３０４の移動範囲は断熱プレート３０５によって限定されてもよい。即ち、仕切り板３０４は外力の作用を受けずに、断熱プレート３０５の右側に移動することはない。
【００５９】
熱腔３０３及び冷腔３０６の設置は有利である。冷腔３０６を設置することで、サンプルが吸着されたサンプル採取吸着器が熱脱着腔装置の熱腔３０３に押される前にサンプルが加熱脱着されないことを保証できる一方、サンプル採取吸着器を熱脱着腔中及び／又は駆動モータ上に挿入するとき、オペレータを火傷から保護することもできる。
【００６０】
１実施例において、熱脱着過程を促進するために、前記熱腔３０３は、熱腔３０３内温度を向上させるための加熱器と熱腔３０３内温度を測定するための温度センサとからなる温度制御装置と、熱腔３０３内から熱脱着腔装置外部への放熱を遮断するように配置される保温部と、含む。例えば、熱脱着腔装置の腔体は熱伝導率の良いステンレス鋼または銅または他の金属からなってもよいとともに、セラミック断熱プレート３０５を用いて熱腔３０３と冷腔３０６とを分離する。熱腔３０３外には、熱腔３０３を加熱可能な加熱膜が被覆されている。熱腔３０３外面には、熱腔３０３の温度を検出するための温度センサが取り付けられる。一般的に、熱腔３０３温度は５０℃〜３００℃に制御可能である。加熱及び保温効果を向上させるために、熱腔３０３の最外層に、保温綿または他の保温材料が被覆されてもよく、保温材料は効率向上、省エネルギーを実現することができるとともに、オペレータが熱脱着腔装置の熱腔３０３に焼けられることを防止することができる。他の実施例において、加熱器は抵抗線加熱器であってもよく、熱腔３０３の温度を向上させるように、熱腔３０３を囲んで設けられる。
【００６１】
本開示の実施例は、上記のサンプル採取吸着器と熱脱着腔装置とを含むサンプル採取機器をさらに提供する。
【００６２】
前記サンプル採取吸着器は、開放する腔体第２端を介して前記熱脱着腔装置の冷腔３０６内に挿入することで、サンプル採取吸着器における外方筒部１００１の外方筒部１００１第１端が、外方筒部１００１第１端の外周面上の外方筒部第１封止リング１０３５を介して前記断熱プレート３０５に当接するようにすることができる。本実施例によるサンプル採取機器は、サンプル採取吸着器と熱脱着腔装置とを容易に分離・組み立てすることができ、サンプル採取吸着器を単独に用いるサンプル採取を容易にすることができる。
【００６３】
図４に示すように、サンプル採取吸着器は熱脱着腔装置内に挿入され、外方筒部１００１の左端外周と熱脱着腔装置の断熱プレート３０５との間が外方筒部第１封止リング１０３５に封止されることにより、断熱プレート３０５の左側のガスはサンプル採取吸着器と断熱プレート３０５との間の隙間から熱脱着腔の右側に進入することができない。
【００６４】
図４に示すように、前記サンプル採取吸着器が前記熱脱着腔装置の冷腔３０６内に挿入されるとき、熱脱着腔装置の加熱レバー３０８は前記サンプル採取吸着器の吸着部１０２に接触するとともに力を付加することで、サンプル採取吸着器Ｔ型ヘッド１０７がシュート１０９の第２端に阻まれてサンプル採取吸着器が第２状態になるまで、吸着部１０２が前記外方筒部１００１内を移動するようにする。サンプル採取吸着器の芯部１００２は仕切り板３０４上の右へ突出している加熱レバー３０８に押し当てられ、サンプル採取吸着器が左へ移動することに従って、芯部１００２は加熱レバー３０８に押し当てられる。つまり、芯部１００２は、サンプル採取吸着器Ｔ型ヘッド１０７がシュート１０９の第２端に阻まれるまで、外方筒部１００１に対して右へ移動する。
【００６５】
サンプル採取吸着器が引き続き左へ移動し、即ち、前記サンプル採取吸着器が前記熱脱着腔装置の熱腔３０３に挿入され、前記サンプル採取吸着器の吸着部１０２は外方筒部１００１に対して右へ移動できないとき、芯部１００２と外方筒部１００１とが一緒に左へ移動するので、吸着部１０２は加熱レバー３０８に力を付加することで、前記熱脱着腔装置が第３状態になるまで、仕切り板３０４と共に加熱レバー３０８を熱脱着腔装置の腔体左側へ移動させる。熱脱着腔装置が第３状態にあるとき、外方筒部１００１第１端の外周面上の外方筒部第１封止リング１０３５は、キャリアガス入口３０１とキャリアガス出口３０２との間に位置するまで、前記熱腔３０３内において前記熱腔３０３の内壁を摺動している。
【００６６】
図５に示すように、この際、前記仕切り板３０４はキャリアガス出口３０２の左側に位置し、キャリアガスはキャリアガス口から熱脱着腔に進入可能である。かつ、キャリアガスは外方筒部第１封止リング１０３５に阻まれて外方筒部１００１と熱脱着腔装置の腔体との間を通過することができず、サンプル採取吸着器の吸着部１０２に入ってからサンプル脱着通路１１０へ入り、サンプル脱着通路１１０の出口から排出され、最後にキャリアガス出口３０２から排出されることしかできない。
【００６７】
脱着過程中において、加熱レバー３０８は昇温可能であり、サンプル採取吸着器の吸着部１０２の温度を直接向上させ、吸着部１０２上に集中されたサンプルが吸着部１０２から脱離することを促進する。同時に、熱腔３０３の温度制御装置は熱腔３０３の温度を向上させることで、熱腔３０３内の温度を所望温度に保持し、吸着部１０２及び／又はサンプル採取ヘッド１０１上に集中されたサンプルを加速的に脱着させる。この際、キャリアガスはキャリアガス入口３０１から入り、吸着部１０２を通過してサンプルをキャリアし、最後にキャリアガス出口３０２を介してイオンマイグレーション装置のような分析機器に搬送する。
【００６８】
本開示の実施例において、サンプル採取過程において、シリコーンゴムサンプル採取ヘッド１０１及び吸着剤はいずれも室温にあるので、測定すべきサンプルの採取や集中に有利である。脱着過程中において、熱脱着腔内の温度が８０℃〜３００℃範囲に制御可能であるため、熱脱着腔に押される吸着材料は迅速的に加熱され、吸着剤中の吸着されたサンプルの析出や脱離に有利であり、同時に予熱されたキャリアガスは析出されたサンプルガスと脱着腔内において迅速的に混合でき、サンプルはキャリアガスに熱脱着腔から効率的に持ち出されて分析機器に入り、例えばイオンマイグレーション／クロマトグラム−イオンマイグレーションに搬送されて分離検出を行う。
【００６９】
１実施例において、仕切り板３０４内には、吸着部１０２の温度を補助して向上させる加熱器がさらに設けられてもよい。
【００７０】
１実施例において、外方筒部１００１の外周はストッパ部１３１をさらに含み、前記ストッパ部１３１は、前記熱脱着腔装置が第３状態にあるとき、熱脱着腔装置の断熱プレート３０５に当接することで、サンプル採取吸着器が熱脱着腔装置第１端へ引き続き移動することを阻止できるように配置される。ストッパ部１３１の設置は有利であり、ストッパ部１３１が断熱プレート３０５に当接するとき、サンプル採取吸着器が正確に位置決められ、熱脱着腔装置が第３状態にあり、熱脱着が開始可能であることを表明する。また、１実施例において、ストッパ部１３１を駆動部品としてもよく、例えば駆動モータを用いてストッパ部１３１を駆動することで、サンプル採取吸着器が熱脱着腔内を移動するようにする。
【００７１】
１実施例において、前記サンプル採取吸着器は摺動可能カラー１０６を含み、前記摺動可能カラー１０６は外方筒部１００１の外周に被せて、前記熱脱着腔装置の前記腔体の第２端付近のバヨネット内まで配合可能であるとともに、外方筒部１００１が熱脱着腔装置内を移動することを許可する。
【００７２】
本開示において、耐高温のフッ素ゴムからなってもよい複数の封止リングが設けられる。これら封止リングは交換可能である。
【００７３】
本開示の実施例において、吸着部１０２中の吸着剤としては活性炭やＴｅｎａｘ−ＴＡ等を適用することができる。
【００７４】
本開示の実施例において、ポンプ２０１を使用することができ、ポンプ２０１としては、例えばＫＮＦ  ＮＭＰ  ０１５Ｂを選択してもよい。
【００７５】
本発明の全体的構想による一部の実施例は既に表示や説明されているが、当業者であれば理解できるように、本発明の全体的構想の原則と精神から逸脱しない限り、これら実施例を変更することができ、本発明の範囲は、請求の範囲及びその同等物によって限定される。
【図１】
2019120702.tif 000003
【図２】
2019120702.tif 000004
【図３】
2019120702.tif 000005
【図４】
2019120702.tif 000006
【図５】
2019120702.tif 000007